(57)【要約】      （修正有）【課題】異なる形状の折板屋根に使用することが可能な太陽電池モジュール取付金具を提供する。【解決手段】太陽電池モジュール取付金具１は、１つの固定部材２、２つの可動部材３、前記固定部材２と前記２つの可動部材３を固定するボルト２０とナット２１、太陽電池モジュールを固定する固定ボルト２２から構成される。これを、折板屋根３０に固定する時に、前記固定部材２を山部３１に載せると、固定部材２の前面および後面１０の下端が前記折板屋根３０の山部３１の頂部と接する状態となり、また、前記２つの側面５の折曲げ加工された部分が、前記山部３１の２つの側面３２を挟み込むような状態となる。これにより、前記固定部材２は上下および左右への移動が抑制された状態となり、前記太陽電池モジュール１を前記山部３１に簡単に位置決めすることができる。【選択図】図３
0003170634.tif 000002
【実用新案登録請求の範囲】
【請求項１】
上面および２つの側面を有する固定部材、前記固定部材の前記２つの側面の外側にそれぞれ接するように配置される２つの可動部材、および、前記２つの可動部材を前記固定部材に固定するボルトとナットを有し、折板屋根の山部に固定される太陽電池モジュール取付金具であって、
前記固定部材は、前記上面に太陽電池モジュールを固定する固定用ボルトが挿入される孔が設けられ、前記２つの側面には前記ボルトが挿入される第１の孔がそれぞれ設けられており、
前記可動部材は、前記ボルトが挿入される第２の孔が設けられ、前記折板屋根の山部の側面に形成された凹部と係合する凸部が複数形成されており、複数の凸部は前記第２の孔を中心として互いに異なる方向かつ互いに異なる距離で前記可動部材に配置されており、
前記可動部材を前記ボルトを中心に回転させて、複数の凸部から１つを選択して選択した凸部が前記凹部と係合する位置へと移動させて、前記２つの可動部材を前記固定部材の両側に配置し、前記ボルトを前記可動部材の孔および前記固定部材の側面の孔に挿入して、前記ボルトとナットを締め付けると、前記２つの可動部材は前記固定部材に固定され、前記２つの可動部材の凸部が前記折板屋根の山部の凹部と係合することにより、前記折板屋根の山部に固定されることを特徴とする太陽電池モジュール取付金具。
【請求項２】
前記固定部材の前記上面と前記２つの側面とによって形成される２つのコーナー部分を切り欠いて設けた孔が設けられており、前記可動部材は、前記孔に挿入される複数の挿入部が、前記第２の孔を挟んで前記凸部と対向する位置にそれぞれ設けられ、
前記可動部材を前記ボルトを中心に回転させて、複数の凸部から１つを選択して選択した凸部が前記凹部と係合する位置へと移動させた時に、１つの挿入部を前記コーナー部を切り欠いて設けた孔に挿入し、残りの挿入部は、前記固定部材に設けた固定孔に挿入して前記２つの可動部材を前記固定部材に取り付け、前記ボルトを前記可動部材の孔および前記固定部材の側面の孔に挿入して、前記太陽電池モジュールを仮組した状態で、前記２つの可動部材は前記挿入部のコーナー部分の孔と接する箇所を中心に、前記固定部材から離れる方向にそれぞれ回転可能であることを特徴とする請求項１に記載の太陽電池モジュール取付金具。
【請求項３】
複数の凸部が互いに異なる形状を有することを特徴とする請求項１または２に記載の太陽電池モジュール取付金具。
【請求項４】
上面および２つの側面を有する固定部材、前記固定部材の前記２つの側面の外側にそれぞれ接するように配置される２つの可動部材、および、前記２つの可動部材を前記固定部材に固定するボルトとナットを有し、折板屋根の山部に固定される太陽電池モジュール取付金具であって、
前記固定部材は、前記上面に太陽電池モジュールを固定する固定用ボルトが挿入される孔が設けられ、前記２つの側面には前記ボルトが挿入される第１の孔がそれぞれ設けられており、
前記可動部材は、前記ボルトが挿入される第２の孔が設けられた第１の可動部材と、前記第１の可動部材とボルトによって回転可能に係合された第２の可動部材からなり、前記第２の可動部材には前記折板屋根の山部の側面に形成された凹部と係合する凸部が複数形成されており、複数の凸部は前記ボルトの軸を中心として互いに異なる方向かつ互いに異なる距離で前記第２の可動部材に配置されており、
前記第２の可動部材を、前記第２の可動部材と前記第１の可動部材を回転可能に係合する前記ボルトを中心に回転させて、複数の凸部から１つを選択して選択した凸部が前記凹部と係合する位置へと移動させ、前記２つの可動部材を前記固定部材の両側に配置し、前記ボルトを前記可動部材の孔および前記固定部材の側面の孔に挿入して、前記ボルトとナットを締め付けると、前記２つの可動部材は前記固定部材に固定され、前記２つの可動部材の凸部が前記折板屋根の山部の凹部と係合することにより、前記折板屋根の山部に固定されることを特徴とする太陽電池モジュール取付金具。
【請求項５】
前記固定部材の前記上面と前記２つの側面とによって形成される２つのコーナー部分を切り欠いて設けた孔が設けられており、前記第１の可動部材は、上端が前記側面の方に折り曲げられて挿入部が形成されており、
前記２つの可動部材を前記固定部材の両側に配置する時に、前記第１の可動部材の挿入部を前記固定部材のコーナー部分の孔に挿入して前記２つの可動部材を前記固定部材に取り付け、前記ボルトを前記可動部材の孔および前記固定部材の側面の孔に挿入して、前記太陽電池モジュールを仮組した状態で、前記２つの可動部材は前記挿入部のコーナー部分の孔と接する箇所を中心に、前記固定部材から離れる方向にそれぞれ回転可能であることを特徴とする請求項４に記載の太陽電池モジュール取付金具。
【請求項６】
複数の凸部が互いに異なる形状を有することを特徴とする請求項４または５に記載の太陽電池モジュール取付金具。
【考案の詳細な説明】
【技術分野】
【０００１】
本考案は、折板屋根に太陽電池モジュールを取り付ける際に使用する太陽電池モジュール取付金具に関する。
【背景技術】
【０００２】
折板屋根に太陽電池モジュール等を取り付ける際に、太陽電池モジュールを直接ボルト等によって折板屋根に固定するのではなく、折板屋根の山部を挟み込む取り付け金具を用い、前記取付金具に太陽電池モジュールを固定する方法が用いられている。従来の取り付け金具としては、主に２つの部材で折板屋根の山部を挟み込み、ボルト等を用いて２つの部材を締め付けることで取付金具を折板屋根に固定する構造が一般的に用いられている。
【０００３】
このような従来の取付金具の一例として、特許文献１に記載されているような、力骨体取付主体Ａの両側に一対の嵌合用脚部４をボルト・ナットを用いて固定する際に、前記嵌合用脚部４によって折板屋根の山部を挟み込むことにより、取付金具を折板屋根に固定するものがある。
【先行技術文献】
【特許文献】
【０００４】
【特許文献１】特開２０１１−３８２８６号公報
【考案の概要】
【考案が解決しようとする課題】
【０００５】
折板屋根の山部の形状には様々な種類が存在するために、折板屋根の山部の形状に合わせて取付金具も異なる形状の物を用意する必要があった。そのために、取付金具全体の形状を変更したものをその都度用意しなければならいという問題があった。このことは取付金具のコストにも大きく影響を与えている。
【０００６】
そこで、本考案は前記問題を解決するために、１つの取付金具で異なる形状の山部を有する折板屋根に対応することが可能な太陽電池モジュール取付金具を提供することを目的とする。
【課題を解決するための手段】
【０００７】
本考案の太陽電池モジュール取付金具は、上面および２つの側面を有する固定部材、前記固定部材の前記２つの側面の外側にそれぞれ接するように配置される２つの可動部材、および、前記２つの可動部材を前記固定部材に固定するボルトとナットを有し、折板屋根の山部に固定される太陽電池モジュール取付金具であって、前記固定部材は、前記上面に太陽電池モジュールを固定する固定用ボルトが挿入される孔が設けられ、前記２つの側面には前記ボルトが挿入される第１の孔がそれぞれ設けられており、前記可動部材は、前記ボルトが挿入される第２の孔が設けられ、前記折板屋根の山部の側面に形成された凹部と係合する凸部が複数形成されており、複数の凸部は前記第２の孔を中心として互いに異なる方向かつ互いに異なる距離で前記可動部材に配置されており、前記可動部材を前記ボルトを中心に回転させて、複数の凸部から１つを選択して選択した凸部が前記凹部と係合する位置へと移動させて、前記２つの可動部材を前記固定部材の両側に配置し、前記ボルトを前記可動部材の孔および前記固定部材の側面の孔に挿入して、前記ボルトとナットを締め付けると、前記２つの可動部材は前記固定部材に固定され、前記２つの可動部材の凸部が前記折板屋根の山部の凹部と係合することにより、前記折板屋根の山部に固定されることを特徴とする。
【０００８】
そして、前前記固定部材の前記上面と前記２つの側面とによって形成される２つのコーナー部分を切り欠いて設けた孔が設けられており、前記可動部材は、前記孔に挿入される複数の挿入部が、前記第２の孔を挟んで前記凸部と対向する位置にそれぞれ設けられ、前記可動部材を前記ボルトを中心に回転させて、複数の凸部から１つを選択して選択した凸部が前記凹部と係合する位置へと移動させた時に、１つの挿入部を前記コーナー部を切り欠いて設けた孔に挿入し、残りの挿入部は、前記固定部材に設けた固定孔に挿入して前記２つの可動部材を前記固定部材に取り付け、前記ボルトを前記可動部材の孔および前記固定部材の側面の孔に挿入して、前記太陽電池モジュールを仮組した状態で、前記２つの可動部材は前記挿入部のコーナー部分の孔と接する箇所を中心に、前記固定部材から離れる方向にそれぞれ回転可能である。
【０００９】
本考案の別の形態の本考案の太陽電池モジュール取付金具は、上面および２つの側面を有する固定部材、前記固定部材の前記２つの側面の外側にそれぞれ接するように配置される２つの可動部材、および、前記２つの可動部材を前記固定部材に固定するボルトとナットを有し、折板屋根の山部に固定される太陽電池モジュール取付金具であって、前記固定部材は、前記上面に太陽電池モジュールを固定する固定用ボルトが挿入される孔が設けられ、前記２つの側面には前記ボルトが挿入される第１の孔がそれぞれ設けられており、前記可動部材は、前記ボルトが挿入される第２の孔が設けられた第１の可動部材と、前記第１の可動部材とボルトによって回転可能に係合された第２の可動部材からなり、前記第２の可動部材には前記折板屋根の山部の側面に形成された凹部と係合する凸部が複数形成されており、複数の凸部は前記ボルトの軸を中心として互いに異なる方向かつ互いに異なる距離で前記第２の可動部材に配置されており、前記第２の可動部材を、前記第２の可動部材と前記第１の可動部材を回転可能に係合する前記ボルトを中心に回転させて、複数の凸部から１つを選択して選択した凸部が前記凹部と係合する位置へと移動させ、前記２つの可動部材を前記固定部材の両側に配置し、前記ボルトを前記可動部材の孔および前記固定部材の側面の孔に挿入して、前記ボルトとナットを締め付けると、前記２つの可動部材は前記固定部材に固定され、前記２つの可動部材の凸部が前記折板屋根の山部の凹部と係合することにより、前記折板屋根の山部に固定されることを特徴とする。
【００１０】
そして、前記固定部材の前記上面と前記２つの側面とによって形成される２つのコーナー部分を切り欠いて設けた孔が設けられており、前記第１の可動部材は、上端が前記側面の方に折り曲げられて挿入部が形成されており、前記２つの可動部材を前記固定部材の両側に配置する時に、前記第１の可動部材の挿入部を前記固定部材のコーナー部分の孔に挿入して前記２つの可動部材を前記固定部材に取り付け、前記ボルトを前記可動部材の孔および前記固定部材の側面の孔に挿入して、前記太陽電池モジュールを仮組した状態で、前記２つの可動部材は前記挿入部のコーナー部分の孔と接する箇所を中心に、前記固定部材から離れる方向にそれぞれ回転可能である。
【００１１】
さらに、複数の凸部が互いに異なる形状を有するものとすることも可能である。
【考案の効果】
【００１２】
本考案の太陽電池モジュール取付金具は、上面および２つの側面を有する固定部材、前記固定部材の前記２つの側面の外側にそれぞれ接するように配置される２つの可動部材、および、前記２つの可動部材を前記固定部材に固定するボルトとナットを有し、折板屋根の山部に固定される太陽電池モジュール取付金具であって、前記固定部材は、前記上面に太陽電池モジュールを固定する固定用ボルトが挿入される孔が設けられ、前記２つの側面には前記ボルトが挿入される第１の孔がそれぞれ設けられており、前記可動部材は、前記ボルトが挿入される第２の孔が設けられ、前記折板屋根の山部の側面に形成された凹部と係合する凸部が複数形成されており、複数の凸部は前記第２の孔を中心として互いに異なる方向かつ互いに異なる距離で前記可動部材に配置されており、前記可動部材を前記ボルトを中心に回転させて、複数の凸部から１つを選択して選択した凸部が前記凹部と係合する位置へと移動させて、前記２つの可動部材を前記固定部材の両側に配置し、前記ボルトを前記可動部材の孔および前記固定部材の側面の孔に挿入して、前記ボルトとナットを締め付けると、前記２つの可動部材は前記固定部材に固定され、前記２つの可動部材の凸部が前記折板屋根の山部の凹部と係合することにより、前記折板屋根の山部に固定されるので、１つの太陽電池モジュール取付金具で、異なる形状の山部を有する折板屋根に対応することが可能となる。
【００１３】
本考案の別の形態の本考案の太陽電池モジュール取付金具は、上面および２つの側面を有する固定部材、前記固定部材の前記２つの側面の外側にそれぞれ接するように配置される２つの可動部材、および、前記２つの可動部材を前記固定部材に固定するボルトとナットを有し、折板屋根の山部に固定される太陽電池モジュール取付金具であって、前記固定部材は、前記上面に太陽電池モジュールを固定する固定用ボルトが挿入される孔が設けられ、前記２つの側面には前記ボルトが挿入される第１の孔がそれぞれ設けられており、前記可動部材は、前記ボルトが挿入される第２の孔が設けられた第１の可動部材と、前記第１の可動部材とボルトによって回転可能に係合された第２の可動部材からなり、前記第２の可動部材には前記折板屋根の山部の側面に形成された凹部と係合する凸部が複数形成されており、複数の凸部は前記ボルトの軸を中心として互いに異なる方向かつ互いに異なる距離で前記第２の可動部材に配置されており、前記第２の可動部材を、前記第２の可動部材と前記第１の可動部材を回転可能に係合する前記ボルトを中心に回転させて、複数の凸部から１つを選択して選択した凸部が前記凹部と係合する位置へと移動させ、前記２つの可動部材を前記固定部材の両側に配置し、前記ボルトを前記可動部材の孔および前記固定部材の側面の孔に挿入して、前記ボルトとナットを締め付けると、前記２つの可動部材は前記固定部材に固定され、前記２つの可動部材の凸部が前記折板屋根の山部の凹部と係合することにより、前記折板屋根の山部に固定されるので、１つの太陽電池モジュール取付金具で、異なる形状の山部を有する折板屋根に対応することが可能となる。
【図面の簡単な説明】
【００１４】
【図１】本考案の第１の実施形態太陽電池モジュール取付金具を仮組した状態の図であり、（ａ）は正面図、（ｂ）は断面図である。
【図２】第１の実施形態の太陽電池モジュール取付金具を仮組し、可動部材を拡げた状態の図であり、（ａ）は前面図、（ｂ）は断面図である。
【図３】第１の実施形態の太陽電池モジュール取付金具を折板屋根に取り付けた状態の断面図である。
【図４】（ａ）は、固定部材の斜視図であり、（ｂ）は固定部材の断面図である。
【図５】（ａ）は、可動部材の斜視図であり、（ｂ）は可動部材の断面図であり、（ｃ）は可動部材の側面図である。
【図６】第１の実施形態の太陽電池モジュール取付金具の側面図である。
【図７】第１の実施形態の太陽電池モジュール取付金具を別の折板屋根に取り付けた状態の断面図である。
【図８】本考案の第２の実施形態太陽電池モジュール取付金具を仮組した状態の図であり、（ａ）は正面図、（ｂ）は断面図である。
【図９】第２の実施形態の太陽電池モジュール取付金具を折板屋根に取り付けた状態の断面図である。
【図１０】第２の実施形態太陽電池モジュール取付金具を別の折板屋根に取り付ける際に仮組した状態の正面図である。
【図１１】第２の実施形態の太陽電池モジュール取付金具を別の折板屋根に取り付けた状態の断面図である。
【図１２】固定部材の斜視図である。
【図１３】可動部材の斜視図である。
【考案を実施するための形態】
【００１５】
本考案の第１の実施形態の太陽電池モジュール取付金具１を、図を用いて以下に詳細に説明する。図１は本考案の第１の実施形態の太陽電池モジュール取付金具１を仮組した状態の図であり、図３，７は本考案の太陽電池モジュール取付金具１を折板屋根３０，３０’の山部３１，３１’に固定した状態の断面図である。
【００１６】
第１の実施形態の太陽電池モジュール取付金具１は、太陽電池モジュールを折板屋根３０に取り付ける際に使用するものであり、図３，７に示すように、前記折板屋根３０の山部２１に固定され、その後、固定用ボルト２０によって太陽電池モジュールを固定することにより、太陽電池モジュールが折板屋根３０に取り付けることができるものである。
【００１７】
前記太陽電池モジュール１は、図１に示すように、１つの固定部材２、２つの可動部材３、前記固定部材２と前記２つの可動部材３を固定するボルト２０とナット２１、太陽電池モジュールを固定する固定ボルト２２から構成される。
【００１８】
前記固定部材２は、図４に示すように、上面４、上面４の両側から下方へと延びる２つの側面５、上面４の前後からそれぞれ下方へと延びる前面９および後面１０から構成される。前記上面４の中央には太陽電池モジュールを固定する固定用ボルト２２が挿入される円形の孔７が設けられ、前記側面５には前記ボルト２０が挿入される円形の第１の孔８がそれぞれ設けられている。さらに、前記上面４と前記側面５によって形成される２つのコーナー部分を切り欠いて横長の孔６が形成されている。
【００１９】
前記固定用ボルト２２は前記上面４の孔７に下側から挿入するが、この時、前記上面４の前記固定用ボルト２２の頭部が接する面には、前記固定用ボルト２２を締める時に前記固定用ボルト２２が空回りするのを防止するために、図１に示すような、Ｕ字状に鉄板を加工したＵ字金具１１を逆さまに固定する。前記Ｕ字金具１１は前記孔７と同じ大きさの孔が設けられ、そして、前記固定用ボルト２２の頭部が嵌る幅に形成されている。
【００２０】
また、前記前面９および前記後面１０の下端は、図３，７に示すように、前記固定部材２を前記折板屋根３０の山部３１に載せた時に、前記山部３１の頂部と接する形状である。また、前記側面５の下方は、この時に前記折板屋根３０の山部３１の側面の傾斜に合うように、「く」の字状に折曲げ加工が施されている。
【００２１】
これにより、図３，７に示すように、前記太陽電池モジュール取付金具１を折板屋根３０に固定する時に、前記固定部材２を前記山部３１に載せると、前記前面９および前記後面１０の下端が前記折板屋根３０の山部３１の頂部と接する状態となり、前記２つの側面５の折曲げ加工された部分が、前記山部３１の２つの側面３２を挟み込むような状態となり、前記固定部材２は上下および左右への移動が抑制された状態となり、前記太陽電池モジュール１を前記山部３１に簡単に位置決めすることができる。
【００２２】
前記固定部材２は、ここでは１枚の金属板を加工したものであり、１枚の金属板を折曲げ加工することにより、２つの側面５、前面９および後面１０を形成している。前記固定部材２は、このような加工方法だけではなく、溶接等を用いて各部材を取り付けることも可能であるが、強度の面で考えると１枚の金属板を加工することが好ましい。
【００２３】
前記可動部材３は、前記固定部材２と同様に１枚の金属板を折曲げ加工したものであり、図５（ｃ）に示すように、略Ｌ字状の平面形状を有し、前記ボルト２０が挿入される第２の孔１４が設けられ、前記折板屋根の山部の側面に形成された凹部と係合する２つの凸部１５，１５’が形成されている。前記第２の孔１４はボルト２０の外径よりも大きい内径を有する。
【００２４】
２つの凸部１５，１５’はＬ字状の前記可動部材３の両端部を断面がＬ字状となるように折り曲げて形成されており、前記第２の孔１４の中心から前記凸部１５，１５’までの距離、および、前記可動部材３からの突出量が互いに異なっている。本実施形態では、前記第２の孔１４の中心から凸部１５までの距離が、前記第２の孔１４の中心から凸部１５’までの距離よりも長く、前記凸部１５の突出量が前記凸部１５’の突出量よりも小さくなるように形成している。
【００２５】
そして、前記凸部１５，１５’は、図３，７に示すように、前記折板屋根３０，３０’の山部３１，３１’の側面３２，３２’に形成された溝状の凹部３３，３３’と係合する形状および大きさに形成されている。前記凸部１５，１５’は、折り曲げ加工だけではなく、凹凸加工、あるいは突起を溶接する方法等を用いることができ、その形状も、前記凹部３３の形状に応じて様々な形状とすることができる。例えば、Ｌ字以外にも折板屋根の凹部に合わせて「く」の字状に折り曲げ加工することも可能である。
【００２６】
前記可動部材３には、２つの挿入部１３，１３’が、前記第２の孔１４を挟んで前記凸部１５，１５’と対向する位置に設けられている。前記挿入部１３，１３’は前記可動部材３の一部を折り曲げて形成されており、前記固定部材２の横長の孔６に挿入可能な大きさで形成されている。前記凸部１５，１５’および前記挿入部１３，１３’は本実施形態では２つとしているが、数は２つに限定するものではなく、３つとして、Ｔ字状の可動部材とすることも可能である。
【００２７】
前記挿入部１３，１３’のいずれかを前記固定部材２の孔６に挿入すると、図１に示すような状態となり、前記可動部材３は前記挿入部１３が前記孔６に挿入された状態のまま、図２に示すように、前記可動部材３と前記固定部材２の前記孔６が接する箇所を中心として前記側面５から離れる方向にそれぞれ回転させることが可能となる。
【００２８】
この時、前記孔６に挿入されない残りの挿入部１３，１３’は前記固定部材２と当接し、前記可動部材３が前記固定部材２と密接することができなくなる。これを回避するために、前記固定部材２には、２つの第３の孔１２を設けておく。これにより、前記孔６に挿入されない挿入部１３，１３’は第３の孔１２に挿入された状態となり、前記可動部材３は前記固定部材２と密接することができる。
【００２９】
このように、前記可動部材３に複数の凸部１５，１５’および複数の挿入部１３，１３’を設け、前記固定部材２に複数の第３の孔１２を設けることにより、前記固定部材２に前記可動部材３を取り付ける時に、前記可動部材３の向きを変えて取り付けることが可能となる。
【００３０】
前記可動部材３の外側面（前記固定部材２と接するのとは反対側の面）の前記第２の孔１４の周囲には、前記ボルト２０を締める時に前記ボルト２０が空回りするのを防ぐために、図４に示すように、２つのリブ１６を設ける。前記２つのリブ１６は、図７に示すように、前記第２の孔１４を挟むように、そして、前記ボルト２０の頭部が嵌る幅で平行に配置されており、前記可動部材３の外側面から突出するように形成されている。前記リブ１６の形状は、このような形状や形成方法に限定するものではなく、様々な形状や個数とすることができ、その他の形成方法を用いることもできる。
【００３１】
前記可動部材３の外側面には、前記リブ１６だけではなく、図５に示すように、前記リブ１６と接続された補強リブ１７が形成されている。前記補強リブ１７は可動部材材３の強度を確保するために形成されており、本実施形態では、前記リブ１６と同様に前記可動部材３の外側面から突出するように形成されており、補強リブ１７の上にリブ１６が形成された状態となっている。
【００３２】
前記固定部材２、前記２つの可動部材３、およびボルト２０とナット２１を組み合わせたものが、本考案の前記太陽電池モジュール取付金具１であるが、本考案をさらに詳しく説明するために、前記太陽電池モジュール取付金具１の使用方法ついて説明する。
【００３３】
前記太陽電池モジュール取付金具１を使用する際は、まず初めに、折板屋根３０の山部３１の凹部３３と係合する、可動部材３の凸部１５，１５’を選択する。ここでは、凹部３３と凸部１５が係合する場合について説明する。
【００３４】
凹部３３と凸部１５が係合する場合には、図６（ａ）に示すように、前記凸部１５が下方に位置し、挿入部１３が上方に位置する状態で、前記可動部材３を前記固定部材２に取り付ける。そのために、前記挿入部１３を前記固定部材２の横長の孔６に挿入し、今回、使用しない凸部１５’を第３の孔１２に挿入して、前記凸部１５が下方に、そして前記凸部１５’が横方向に位置する状態で、２つの可動部材３を固定部材２の両側に配置する。
【００３５】
そして、前記固定用ボルト２２を前記固定部材２の上面４の孔７に下から挿入し、その後、前記ボルト２０を前記可動部材３の孔１４および前記固定部材２の第１の孔８に挿入し、前記ナット２１を反対側から締めつける。この時、ワッシャー２３を噛ましておき、前記ナット２１は完全に締めつけるのではなく、前記ボルト２０の先端が露出する程度にしておく。
【００３６】
このようにして前記太陽電池モジュール取付金具１を仮組した状態が、図１に示す状態である。このような仮組状態では、図１（ｂ）に示すように、前記ボルト２０によって前記固定用ボルト２２の頭部が支えられた状態となるので、前記固定用ボルト２２をナット等を用いて仮止めしなくても、前記孔７から抜け落ちるのを防ぐことができる。
【００３７】
このように仮組した状態の前記太陽電池モジュール取付金具１を前記折板屋根３０の山部３１に固定する。前記折板屋根３０の山部３１は、図２，３に示すように、平坦な上面を有し、側面３２に段差が設けられた山形である。前記段差が設けられた部分が溝状の凹部３３となっている。前記折板屋根３０の山部３１に、その上方から前記太陽電池モジュール取付金具１をセットするためには、図１に示すような状態では、前記可動部材３の凸部１５が前記側面３２の段差の部分とぶつかり邪魔になる。
【００３８】
しかしながら、仮組状態の前記太陽電池モジュール取付金具１は、前記ボルト２０と前記ナット２１が完全に締めつけられておらず、また、前記ボルト２０が挿入されている前記可動部材３の孔１４と前記ボルト２０との間には隙間が存在することにより、前記２つの可動部材材３はその下端が前記固定部材材２の側面５から離れる方向に上端を中心に回転することができる。
【００３９】
このような状態で、仮組の状態の太陽電池モジュール取付金具１を前記山部３１の上方から押し付けると、図２に示すように、前記山部３１の側面３２に前記回動部３の凸部１５が接触し、前記凸部１５が前記側面３２に押されて前記可動部材３は外側へと開き前記山部３１の段差の部分を前記凸部１５が乗り越えたら自然と元の状態へと戻ることができる。
【００４０】
このようにして、前記太陽電池モジュール取付金具１を前記山部３１に載せると、前記固定部材２の前記前面９および前記後面１０の下端が前記山部３１の頂部と接し、前記固定部材２の側面の折曲げ加工された部分が前記山部３１の側面３２を挟み込む状態となり、前記太陽電池モジュール取付金具１が前記山部３１に対して、上下および左右に位置決めされた状態となる。後は、前後の位置決めを確認すれば、前記ボルト２０と前記ナット２１を締め付けることができる。
【００４１】
前記太陽電池モジュール取付金具１の位置決めを行った後、前記ボルト２０と前記ナット２１を締め付けると、図３に示すように、前記可動部材３の凸部１５が前記山部３１の側面３２の凹部３３と係合した状態で固定されるので、前記太陽電池モジュール取付金具１は折板屋根３０の山部３１に固定される。前記ボルト２０を締め付ける時、前記ボルト２０の頭部が前記可動部材３へと近づくと、前記頭部が前記孔１４の周りに形成された２つのリブ１６の間に嵌り込み回転が停止される。これにより、前記ボルト２０の空回りが防止される。特に、前記リブ１６の断面形状を曲面を有する形状とすることにより、スムーズに前記ボルト２０の頭部が２つのリブ１６の間に嵌ることができる。
【００４２】
このようにして、前記太陽電池モジュール取付金具１を、太陽電池モジュールを設置するのに必要な場所に、適切な数、例えば、太陽電池モジュールの４隅となる場所に、４つ固定した後、前記孔７に挿入しておいた固定用ボルト２２を用いて、太陽電池モジュールを太陽電池モジュール取付金具１に固定すると、太陽電池モジュールを折板屋根に取り付けることができる。太陽電池モジュールを取り付ける方法としては、前記固定ボルト２２を用いて直接太陽電池モジュールを固定する方法、あるいは、太陽電池モジュールの端部を別途の金具を用いて前記固定用ボルト２２で挟み込むことにより固定する方法等がある。
【００４３】
次に、折板屋根３０とは異なる形状を有する折板屋根３０’に太陽電池モジュール取付金具１を固定する場合について説明する。折板屋根３０’の山部３１’の側面３２’には凹部３３’が設けられているが、凹部３３’の形状と位置は折板屋根３０の凹部３３とは異なっている。前記凹部３３’と係合するのが太陽電池モジュール取付金具１の可動部材２に設けた凸部１５’である。
【００４４】
そこで、今度は、凹部３３’と凸部１５’が係合するように、前記凸部１５’が下方に位置し、挿入部１３’が上方に位置する状態で、前記可動部材３を前記固定部材２に取り付ける。そのために、前記挿入部１３’を前記固定部材２の横長の孔６に挿入し、今回、使用しない凸部１５を第３の孔１２に挿入して、２つの可動部材３を固定部材２の両側に配置する。
【００４５】
この後の太陽電池モジュール取付金具１を折板屋根３０’に固定する方法は凹部３３と凸部１５が係合する場合と同じであるために、説明を省略する。凹部３３’と凸部１５’を係合させて太陽電池モジュール取付金具１を折板屋根３０’の山部３１’に固定すると、図７に示す状態となり、折板屋根３０とは異なる形状の折板屋根３０’に対しても本考案の太陽電池モジュール取付金具１は強固に固定することができる。
【００４６】
このように、本考案の太陽電池モジュール取付金具１は、可動部材３を回転させて固定部材２に配置することで、１つで異なる形状の複数の折板屋根３０，３０’に対応することができる。また、新たな形状の折板屋根に対応する場合にも、可動部材３を新たに製作することで対応することも可能である。このように、本考案の太陽電池モジュール取付金具１を使用することで、従来よりも少ない種類で様々な形状の折板屋根に対応することが可能となり、太陽電池モジュール取付金具１の製造コストを削減することもできる。
【００４７】
ここまで説明してきた太陽電池モジュール取付金具１は可動部材３に挿入部１３，１３’を設けた場合について説明してきたが、挿入部１３，１３’を設けない可動部材を使用することも可能である。いずれにせよ、可動部材３に複数の凸部１５，１５’を設けることが重要であり、その他の部材の形状等については適宜変更可能である。例えば、凸部１５の形状や、リブ１６，１７の有無等についてはその都度、変更可能である。
【００４８】
次に、第２の実施形態の太陽電池モジュール取付金具１０について説明する。第２の実施形態の太陽電池モジュール取付金具１０は、２つの部材からなる可動部材４３を用いたものであり、図８は第２の実施形態の太陽電池モジュール取付金具１０を仮組した状態の図であり、図９，１１は本考案の太陽電池モジュール取付金具１０を折板屋根３０，３０’の山部３１，３１’に固定した状態の断面図である。
【００４９】
前記太陽電池モジュール１０は、図８に示すように、１つの固定部材４２、２つの可動部材４３、前記固定部材４２と前記２つの可動部材４３を固定するボルト２０とナット２１、太陽電池モジュールを固定する固定ボルト２２から構成され、前記可動部材４３は第１の可動部材４４と第２の可動部材４５の２つの部材で構成される。
【００５０】
前記固定部材４２は、図１２に示すように、上面５４、上面５４の両側から下方へと延びる２つの側面５５、上面５４の前後からそれぞれ下方へと延びる前面５９および後面６０から構成される。前記上面５４の中央には太陽電池モジュールを固定する固定用ボルト２２が挿入される円形の孔５７が設けられ、前記側面５５には前記ボルト２０が挿入される円形の第１の孔５８がそれぞれ設けられている。さらに、前記上面５４と前記側面５５によって形成される２つのコーナー部分を切り欠いて横長の孔５６が形成されている。
【００５１】
前記固定用ボルト２２は前記上面４の孔７に下側から挿入するが、この時、前記上面４の前記固定用ボルト２２の頭部が接する面には、前記固定用ボルト２２を締める時に前記固定用ボルト２２が空回りするのを防止するために、図８（ｂ）に示すような、２つのリブ６１を設ける。前記２つのリブ６１は前記孔５７を挟むように、そして、前記固定用ボルト２２の頭部が嵌る幅で平行に配置されており、前記上面５４が下方に突出するように形されており、反対側の面は窪みとなっている。
【００５２】
また、前記前面５９および前記後面６０の下端には切り欠き５３が設けられており、図９，１１に示すように、前記固定部材４２を前記折板屋根３０．３０’の山部３１，３１’に載せた時に、前記切り欠き５３に前記山部３１，３１’の頂部が嵌る形状としている。これにより、図９，１１に示すように、前記太陽電池モジュール取付金具１０を折板屋根３０，３０’に固定する時に、前記固定部材４２を前記山部３１，３１’に載せると、前記固定部材４２に前記折板屋根３０，３０’の山部３１，３１’の頂部が嵌った状態となり、前記固定部材４２は上下および左右への移動が抑制された状態となり、前記太陽電池モジュール１０を前記山部３１，３１’に簡単に位置決めすることができる。
【００５３】
前記可動部材４３は、第１の可動部材４４と、前記第１の可動部材４４に回転可能に固定された第２の可動部材４５とからなる。前記第１の可動部材４４は前記ボルト２０が挿入される第２の孔６４が設けられており、上端を前記固定部材４２の方へと９０度に折り曲げて挿入部６３が形成されている。さらに、前記第２の可動部材４５をボルト４６とナット４７を用いて前記第１の可動部材４４に回転可能に固定するために、前記ボルト４６が挿入される第３の孔６２が設けられている。前記第２の孔６４はボルト２０の外径よりも大きい内径を有する。
【００５４】
前記第２の可動部材４５は、上端および下端にそれぞれ凸部６５，６５’が設けられており、さらに前記ボルト４６が挿入される第４の孔６８が設けられている。前記凸部６５，６５’は可動部材４５の上端および下端を折り曲げて略Ｕ字状に形成されており、前記第４の孔６８の中心から前記凸部６５，６５’までの距離、および、前記第２の可動部材４５からの突出量が互いに異なるように形成されている。本実施形態では、前記第４の孔６８の中心から凸部６５までの距離が、前記第４の孔６８の中心から凸部６５’までの距離よりも長く、前記凸部６５の突出量が前記凸部６５’の突出量よりも小さくなるように形成している。
【００５５】
そして、前記凸部６５，６５’は、図９，１１に示すように、前記折板屋根３０，３０’の山部３１，３１’の側面３２，３２’に形成された溝状の凹部３３，３３’と係合する形状および大きさに形成されている。前記凸部６５，６５’は、折り曲げ加工だけではなく、凹凸加工、あるいは突起を溶接する方法等を用いることができ、その形状も、前記凹部３３，３３’の形状に応じて様々な形状とすることができ、例えば、「く」の字状に折り曲げ加工することも可能である。また、本実施形態では、前記凸部６５，６５’の数を２つとしているが、個数は限定するものではなく、例えば、凸部を第４の孔６８を中心として放射状に４つ配置することも可能である。
【００５６】
前記第１の可動部材４４と前記第２の可動部材４５は、前記第３の孔６２と前記第４の孔６8にボルト４６を挿入し、ナット４７で締め付けて固定する。ナット４７を緩めることにより、前記第２の可動部材４５を回転させることができる。このように前記第２の可動部材４５を回転させることにより、異なる形状の前記折板屋根３０，３０’の山部３１，３１’の凹部３３，３３’と係合する可動部材３の凸部６５，６５’を選択して、使用する凸部６５，６５’が下方となるように前記第２の可動部材４５の位置決めを行い、前記ナット４７を再び締め付けることで前記第２の可動部材４５を固定し、前記可動部材４３が使用できる状態となる。
【００５７】
前記第２の可動部材４５を前記第１の可動部材４４に対して回転可能に固定する方法は、ボルト・ナットを用いる方法に限定するものではなく、その他の構造を用いることも可能である。前記第２の可動部材４５と前記第１の可動部材４４との固定の際の強度が確保されていればよい。
【００５８】
前記第１の可動部材４４の外側面の前記第２の孔６４の周囲には、図１３に示すように、前記ボルト２０が空回りするのを防ぐための２つのリブ６６を設けている。また、前記第１の可動部材４４の外側面には、前記リブ６６だけではなく、第１の可動部材４４の強度を確保するための補強リブ６７が形成されており、前記補強リブ６７の上に前記リブ６６が形成されている。
【００５９】
前記固定部材４２、前記２つの可動部材４３、およびボルト２０とナット２１を組み合わせたものが、第２の実施形態の前記太陽電池モジュール取付金具１０であり、さらに、使用方法ついて図を用いて説明する。
【００６０】
前記太陽電池モジュール取付金具１０を使用する際は、まず初めに、折板屋根３０の山部３１の凹部３３と係合する、前記可動部材４３の凸部６５，６５’を選択する。ここでは、凹部３３と凸部６５が係合する場合について説明する。
【００６１】
凹部３３と凸部６５が係合する場合には、図１３に示すように、前記凸部６５が下方に位置し、前記凸部６５’が上方に位置する状態で、前記ボルト４６とナット４７を用いて前記第２の可動部材４５を前記第１の可動部材４４に固定する。これにより、前記可動部材４３が使用できる状態となるので、その後、前記第１の可動部材４４の挿入部６３を前記固定部材４２の横長の孔５６に挿入し、２つの可動部材４３を固定部材４２の両側に配置する。
【００６２】
そして、前記固定用ボルト２２を前記固定部材４２の上面５４の孔５７に下から挿入し、その後、前記ボルト２０を前記可動部材４３の孔６４および前記固定部材４２の第１の孔５８に挿入し、前記ナット２１を反対側から締めつける。この時、ワッシャー２３を噛ましておき、前記ナット２１は完全に締めつけるのではなく、前記ボルト２０の先端が露出する程度にしておく。このようにして、図８に示すように、前記太陽電池モジュール取付金具１０の仮組が完了する。
【００６３】
このように仮組した状態の前記太陽電池モジュール取付金具１０を前記折板屋根３０の山部３１に固定する手順は、第１の実施形態の太陽電池モジュール取付金具１と同じである。仮組した状態の前記太陽電池モジュール取付金具１０を前記折板屋根３０の山部３１の上方からセットし、前記可動部材４３が前記固定部材４２から離れる方向に開き、その後、前記凸部６５が前記山部３１の前記凹部３３と係合する状態となったら、前記ボルト２０と前記ナット２１を締め付ける。
【００６４】
これにより、前記可動部材４３の凸部６５が前記山部３１の側面３２の凹部３３と係合した状態で固定されるので、前記太陽電池モジュール取付金具１０は折板屋根３０の山部３１に固定される。その結果、図９に示すような状態となり、太陽電池モジュール取付金具１０の固定が完了し、太陽電池モジュールを取り付けることができる。
【００６５】
次に、別の折板屋根３０’に太陽電池モジュール取付金具１０を固定する場合について説明する。折板屋根３０’の山部３１’の側面３２’には凹部３３’が設けられているが、凹部３３’の形状と位置は凹部３３とは異なっている。前記凹部３３’と係合するのが太陽電池モジュール取付金具１０の可動部材４２に設けた凸部６５’である。
【００６６】
そこで、今度は、凹部３３’と凸部６５’が係合するように、前記凸部６５’が下方に位置し、前記凸部６５が上方に位置する状態となるように、前記第２の可動部材４５を回転させて、前記ボルト４６と前記ナット４７を用いて前記第１の可動部材４４に固定する。このようにして、可動部材４３を組み立てた後、前記第１の可動部材４４の挿入部６３を前記固定部材４２の横長の孔５６に挿入し、２つの可動部材４３を固定部材４２の両側に配置する。
【００６７】
そして、前記固定用ボルト２２を前記固定部材４２の上面５４の孔５７に下から挿入し、その後、前記ボルト２０を前記可動部材４３の孔６４および前記固定部材４２の第１の孔５８に挿入し、前記ナット２１を反対側から締めつける。このようにして、図１０に示すように、前記太陽電池モジュール取付金具１０の仮組が完了する。その後、前記太陽電池モジュール取付金具１０を前記折板屋根３０’の山部３１’の上方からセットし、前記可動部材４３が前記固定部材４２から離れる方向に開き、その後、前記凸部６５’が前記山部３１’の前記凹部３３と係合する状態となったら、前記ボルト２０と前記ナット２１を締め付けて、前記太陽電池モジュール取付金具１０を折板屋根３０’の山部３１’に固定する。このようにして、図１１に示すように、前記太陽電池モジュール取付金具１０は前記折板屋根３０とは異なる形状の折板屋根３０’に対しても簡単に固定することができる。
【００６８】
第２の実施形態の太陽電池モジュール取付金具１０は、第１の実施形態の太陽電池モジュール取付金具１と同様に、１つで複数の折板屋根に対応することが可能である。さらに、第２の実施形態の太陽電池モジュール取付金具１０は、別の形状の第２の可動部材を用意しておけは、第２の可動部材４５だけを交換することにより、その他の部材はそのままで別の折板屋根に対応することも可能である。
【００６９】
このように、本考案の太陽電池モジュール取付金具１，１０は、複数の折板屋根に固定することが可能となり、使い勝手が向上し、製造コストの面でも従来に比べて優れたものとなっている。
【符号の説明】
【００７０】
１，１０      太陽電池モジュール取付金具
２，４２      固定部材
３，４３      可動部材
４，５４      上面
５，５５      側面
６，５６      孔
７，５７      孔
８，５８      第１の孔
９，５９      前面
１０，６０    後面
１１，６１    リブ
１２，６２    第３の孔
１３，１３’  挿入部
１４，６４    第２の孔
１５，１５’  凸部
１６，６６    リブ
１７，６７    補強リブ
２０          ボルト
２１          ナット
２２          固定用ボルト
２３          ワッシャー
３０，３０’  折板屋根
３１，３１’  山部
３２，３２’  側面
３３，３３’  凹部  
４４          第1の可動部材
４５          第２の可動部材
５３          切り欠き
６２          第３の孔
６３          挿入部
６５，６５’  凸部
６８          第４の孔
【図１】
0003170634.tif 000003
【図２】
0003170634.tif 000004
【図３】
0003170634.tif 000005
【図４】
0003170634.tif 000006
【図５】
0003170634.tif 000007
【図６】
0003170634.tif 000008
【図７】
0003170634.tif 000009
【図８】
0003170634.tif 000010
【図９】
0003170634.tif 000011
【図１０】
0003170634.tif 000012
【図１１】
0003170634.tif 000013
【図１２】
0003170634.tif 000014
【図１３】
0003170634.tif 000015